(57)【要約】【課題】指紋読み取り機能の付与の有無に関わらず、識別カードの不正使用を防止できるようにする。【解決手段】カードリーダ１は、カード挿入口１１に挿入された磁気カードＭを往復搬送した後にカード挿入口１１へ排出するとともに、往復搬送の途上において、磁気カードＭに描かれた画像、磁気カードＭの磁気ストライプＭＳに磁気的に記録された情報及び磁気カードＭに付着した指紋跡を読み取る。ラインセンサ１０４ａ，１０４ｂ、通常光源１０６ａ，１０６ｂ及び紫外光源１０８ａ，１０８ｂは、磁気カードＭに描かれた画像の読み取り手段及び磁気カードＭに付着した指紋跡の読み取り手段の主要部として機能する。【選択図】図２
2007323489.tif 000002
【特許請求の範囲】
【請求項１】
読み取り対象の識別カードに関するカード情報を読み取るカード情報読み取り手段と、
前記識別カードに付着した指紋跡を読み取る指紋読み取り手段と、
を備えるカード読み取り装置。
【請求項２】
前記カード情報読み取り手段が、
前記カードに描かれた画像を前記カード情報として読み取る画像読み取り手段、
を備える請求項１のカード読み取り装置。
【請求項３】
前記画像読み取り手段が読み取った、前記識別カードの表面に描かれた画像に係る画像データと前記識別カードの裏面に描かれた画像に係る画像データとを結合するデータ結合手段、
をさらに備える請求項２のカード読み取り装置。
【請求項４】
前記カード情報読み取り手段が、
前記識別カードに電磁的に記録された情報を前記カード情報として読み取る電磁情報読み取り手段、
を備える請求項１のカード読み取り装置。
【請求項５】
前記カード情報読み取り手段が読み取ったカード情報及び前記指紋読み取り手段が読み取った指紋跡に係るデータを外部装置へ出力するインターフェース、
をさらに備える請求項１ないし請求項４のいずれかのカード読み取り装置。
【請求項６】
前記カード情報読み取り手段が読み取ったカード情報及び前記指紋読み取り手段が読み取った指紋跡に係るデータを記憶する記憶手段、
をさらに備える請求項１ないし請求項５のいずれかのカード読み取り装置。
【発明の詳細な説明】
【技術分野】
【０００１】
本発明は、カード読み取り装置に関する。
【背景技術】
【０００２】
識別カードの不正使用を防止するため、識別カードの利用にあたって指紋による認証を行うことが検討されている。例えば、特許文献１には、指紋読み取り機能をＩＣカードに付与することにより、ＩＣカードの不正利用を防止する技術が開示されている。
【０００３】
【特許文献１】特開２００２−２２２４０７号公報
【発明の開示】
【発明が解決しようとする課題】
【０００４】
しかし、特許文献１の技術では、指紋読み取り機能を識別カードに付与する必要があり、指紋読み取り機能を有しない識別カードの不正使用を防止することはできなかった。
【０００５】
本発明は、この問題を解決するためになされたもので、指紋読み取り機能の付与の有無に関わらず、識別カードの不正使用を防止できるようにすることを目的とする。
【課題を解決するための手段】
【０００６】
上記課題を解決するため、請求項１の発明は、読み取り対象の識別カードに関するカード情報を読み取るカード情報読み取り手段と、前記識別カードに付着した指紋跡を読み取る指紋読み取り手段とを備えるカード読み取り装置である。
【０００７】
請求項２の発明は、前記カード情報読み取り手段が、前記カードに描かれた画像を前記カード情報として読み取る画像読み取り手段を備える請求項１のカード読み取り装置である。
【０００８】
請求項３の発明は、前記画像読み取り手段が読み取った、前記識別カードの表面に描かれた画像に係る画像データと前記識別カードの裏面に描かれた画像に係る画像データとを結合するデータ結合手段をさらに備える請求項２のカード読み取り装置である。
【０００９】
請求項４の発明は、前記カード情報読み取り手段が、前記識別カードに電磁的に記録された情報を前記カード情報として読み取る電磁情報読み取り手段を備える請求項１のカード読み取り装置である。
【００１０】
請求項５の発明は、前記カード情報読み取り手段が読み取ったカード情報及び前記指紋読み取り手段が読み取った指紋跡に係るデータを外部装置へ出力するインターフェースをさらに備える請求項１ないし請求項４のいずれかのカード読み取り装置である。
【００１１】
請求項６の発明は、前記カード情報読み取り手段が読み取ったカード情報及び前記指紋読み取り手段が読み取った指紋跡に係るデータを記憶する記憶手段をさらに備える請求項１ないし請求項５のいずれかのカード読み取り装置である。
【発明の効果】
【００１２】
請求項１ないし請求項６の発明によれば、カード情報に加えて、識別カードに付着した指紋跡を得ることができるので、識別カードの不正使用を防止できる。
【００１３】
請求項３の発明によれば、１つのデータを参照するだけで、識別カードの表面及び裏面に描かれた画像を確認することができる。
【００１４】
請求項５の発明によれば、外部装置で読み取り結果を利用することができる。
【００１５】
請求項６の発明によれば、読み取り結果を後で読み出して利用することができる。
【発明を実施するための最良の形態】
【００１６】
＜１  構成＞
＜１．１  外観構成＞
図１は、本発明の望ましい実施形態に係るカードリーダ（カード読み取り装置）１の外観構成を模式的に示す斜視図である。図１に示すカードリーダ１は、ISO/IEC7811の規格に準拠した磁気カードＭを読み取る自走式のカードリーダとして機能している。
【００１７】
図１に示すように、カードリーダ１の略直方体形状の筐体１０の前面には、読み取り対象の磁気カードＭが挿入されるカード挿入口１１が設けられ、筐体１０の側面には、外部装置との接続に用いられるＵＳＢ（Universal Serial Bus）コネクタ１２が設けられている。
【００１８】
カードリーダ１は、カード挿入口１１に挿入された磁気カードＭを往復搬送した後にカード挿入口１１へ排出するとともに、往復搬送の途上において、磁気カードＭに描かれた画像、磁気カードＭの磁気ストライプＭＳに磁気的に記録された情報及び磁気カードＭに付着した指紋跡を読み取る。
【００１９】
＜１．２  内部構成＞
図２は、カードリーダ１の内部構成を模式的に示す断面図である。図２は、図１のII-IIの切断線におけるカードリーダ１の断面図となっている。また、図３は、カードリーダ１の内部構成を示すブロック図である。なお、以下の説明では、搬送経路１５０において、カード挿入口１１から遠い側を「奥」と称し、カード挿入口１１に近い側を「手前」と称する。
【００２０】
図２に示すように、カードリーダ１の内部には、磁気カードＭの搬送経路１５０に沿って、カード有無検出センサ１０２と、ラインセンサ１０４ａ，１０４ｂと、通常光源１０６ａ，１０６ｂと、紫外光源１０８ａ，１０８ｂと、磁気リーダ１１０と、搬送ローラ１１２ａ〜１１２ｄとが設置されている。
【００２１】
カード挿入口１１の近傍に設置されたカード有無検出センサ１０２は、例えば、光源と光検出器とを搬送経路１５０を挟んで対向させることにより構成され、光検出器における光源からの光の受光量に基づいて、搬送経路１５０に磁気カードＭが存在するか否かを検出する。
【００２２】
ラインセンサ１０４ａ，１０４ｂ、通常光源１０６ａ，１０６ｂ及び紫外光源１０８ａ，１０８ｂは、磁気カードＭに描かれた画像の読み取り手段及び磁気カードＭに付着した指紋跡の読み取り手段の主要部として機能する。ラインセンサ１０４ａ，１０４ｂ、通常光源１０６ａ，１０６ｂ及び紫外光源１０８ａ，１０８ｂは、カード有無検出センサ１０２の奥に、近接して設置されている。
【００２３】
ラインセンサ１０４ａ，１０４ｂは、それぞれ、搬送経路１５０の上方及び下方に設置されている。ラインセンサ（表面用ラインセンサ）１０４ａは、磁気カードＭの表面Ｍａが反射した光を受光し、受光量に応じた画像データ（ラインデータ）を出力する。また、ラインセンサ（裏面用ラインセンサ）１０４ｂは、磁気カードＭの裏面Ｍｂが反射した光を受光し、受光量に応じた画像データ（ラインデータ）を出力する。ラインセンサ１０４ａ，１０４ｂは、ＣＣＤ（Charge Coupled Device）イメージセンサ等により構成される。
【００２４】
通常光源１０６ａ，１０６ｂは、それぞれ、搬送経路１５０の上方及び下方に設置されている。通常光源（表面用通常光源）１０６ａは、磁気カードＭの表面Ｍａに可視光を照射する。通常光源（裏面用通常光源）１０６ｂは、磁気カードＭの裏面Ｍｂに可視光を照射する。通常光源１０６ａ，１０６ｂとしては、例えば、冷陰極放電管や発光ダイオードアレイを採用することができる。
【００２５】
紫外光源１０８ａ，１０８ｂも、それぞれ、搬送経路１５０の上方及び下方に設置されている。紫外光源（表面用紫外光源）１０８ａは、磁気カードＭの表面Ｍａに紫外光を照射し、磁気カードＭの表面Ｍａに付着した指紋跡を浮かび上がらせる。紫外光源（裏面用紫外光源）１０８ｂは、磁気カードＭの裏面Ｍｂに紫外光を照射、磁気カードＭの裏面Ｍｂに付着した指紋跡を浮かび上がらせる。紫外光源１０８ａ，１０８ｂとしては、例えば、キセノンランプを採用することができる。
【００２６】
カードリーダ１では、搬送経路１５０を走行中の磁気カードＭの表面Ｍａ及び裏面Ｍｂに、通常光源１０６ａ，１０６ｂから可視光を照射しつつ、磁気カードＭの表面Ｍａ及び裏面Ｍｂが反射した可視光をラインセンサ１０４ａ，１０４ｂで繰り返し読み取ることにより、磁気カードＭの表面Ｍａ及び裏面Ｍｂに描かれた画像を読み取る。
【００２７】
また、カードリーダ１では、搬送経路１５０を走行中の磁気カードＭの表面Ｍａ及び裏面Ｍｂに、紫外光源１０８ａ，１０８ｂから紫外光を照射しつつ、磁気カードＭの表面Ｍａ及び裏面Ｍｂが反射した紫外光をラインセンサ１０４ａ，１０４ｂで繰り返し読み取ることにより、磁気カードＭの表面Ｍａ及び裏面Ｍｂに付着した指紋跡を読み取る。
【００２８】
磁気リーダ１１０は、搬送経路１５０を走行中の磁気カードＭの磁気ストライプＭＳに、磁界の変化を検出する磁気ヘッドを接近させることにより、磁気ストライプＭＳに磁気的に記録された情報を読み取る。
【００２９】
ラインセンサ１０４ａ，１０４ｂの奥に設置された一対の搬送ローラ１１２ａ，１１２ｂは、磁気カードＭを挟持し、磁気カードＭを搬送経路１５０に沿って搬送する。カードリーダ１では、搬送ローラ１１２ａ，１１２ｂに磁気カードＭが挟持されている状態で搬送ローラ１０２ａがモータ１１４によって回転させられると、搬送ローラ１１２ａ，１１２ｂが反対回りに同期して回転し、磁気カードＭが搬送経路１５０に沿って奥又は手前へ搬送される。
【００３０】
また、搬送ローラ１１２ａ，１１２ｂのさらに奥に設けられた一対の搬送ローラ１１２ｃ，１１２ｄは、磁気カードＭを挟持し、磁気カードＭを搬送経路１５０に沿って案内する。
【００３１】
続いて、図３を参照しつつ、カードリーダ１の内部構成を説明すると、カードリーダ１は、通常光源１０６ａ，１０６ｂ及び紫外光源１０８ａ，１０８ｂの点灯及び消灯を制御する光源制御部１１６と、モータ１１４の駆動を制御するモータ駆動制御部１１８とを備える。さらに、カードリーダ１は、ラインセンサ１０４ａ，１０４ｂを制御し、ラインセンサ１０４ａ，１０４ｂからの画像データの入力を受け付ける画像入力部１２０を備える。
【００３２】
カードリーダ１の各構成、例えば、カード有無検出センサ１０２、磁気リーダ１１０、光源制御部１１６、モータ駆動制御部１１８及び画像入力部１２０等は、ＣＰＵ１２２、ＲＯＭ１２４及びＲＡＭ１２６を備えるマイクロコンピュータによって統括制御されている。
【００３３】
カードリーダ１は、さらに、画像データを記憶する画像メモリ１２８と、外部装置との接続に用いるＵＳＢインターフェース１３０とを備えている。
【００３４】
＜２  動作＞
図４及び図５は、ＣＰＵ１２２、ＲＯＭ１２４及びＲＡＭ１２６を備えるマイクロコンピュータがカードリーダ１の各構成を統括制御することにより実現される、磁気カードＭの読み取り動作の流れを示すフローチャートである。
【００３５】
図４に示すように、磁気カードＭの読み取りにあたっては、まず、カード有無検出センサ１０２により磁気カードＭの有無が検出される（ステップＳ１０１）。磁気カードＭがカード挿入口１１に挿入され、カード有無検出センサ１０２が磁気カードＭを検出すると（ステップＳ１０１で"検出"）、モータ駆動制御部１１８によりモータ１１４の正転駆動が開始され、磁気カードＭの奥へ向かっての搬送（以下、「往路搬送」）が開始される（ステップＳ１０２）。一方、カード有無検出センサ１０２が磁気カードＭを検出できない（ステップＳ１０１で"未検出"）、カード有無検出センサ１０２による磁気カードＭの検出が継続される（ステップＳ１０１）。
【００３６】
往路搬送の開始と略同期して光源制御部１１６により紫外光源１０８ａ，１０８ｂが点灯されると（ステップＳ１０３）、表面用ラインセンサ１０４ａが出力した画像データが画像入力部１２０により取り込まれ（ステップＳ１０４）、裏面用ラインセンサ１０４ｂが出力した画像データが画像入力部１２０により取り込まれる（ステップＳ１０５）。このとき、磁気ストライプＭＳに磁気的に記録されている情報も磁気リーダ１１０により読み取られ、その内容は、ＲＡＭ１２６に逐次記憶される（ステップＳ１０６）。
【００３７】
そして、磁気カードＭの終端（最も手前の部分）がカード有無検出センサ１０２の位置（以下、「検出位置」）に到達したか否かがカード有無検出センサ１０２により検出され（ステップＳ１０７）、到達していない場合（ステップＳ１０７で"NO"）、往路搬送を継続しつつステップＳ１０２〜Ｓ１０６が繰り返される。一方、到達している場合（ステップＳ１０７で"YES"）、モータ駆動制御部１１８によりモータ１１４が停止され、往路搬送が終了する（ステップＳ１０８）。
【００３８】
モータ１１４の停止後、表面用ラインセンサ１０４ａの走査により読み取られた、磁気カードＭの表面Ｍａに付着した指紋跡の画像に係る画像データ（ラインデータが集合したエリアデータ）と、裏面用ラインセンサ１０４ｂの走査により読み取られた、磁気カードＭの裏面Ｍｂに付着した指紋跡の画像に係る画像データ（ラインデータが集合したエリアデータ）とが、指紋データとして、画像メモリに保存され（ステップＳ１０９）、光源制御部１１６により紫外光源１０８ａ，１０８ｂが消灯される（ステップＳ１１０）。
【００３９】
カードリーダ１では、搬送ローラ１１２ａ〜１１２ｄをラインセンサ１０４ａ，１０４ｂの奥に設置し、磁気カードＭを奥へ向かって搬送する往路搬送において、ラインセンサ１０４ａ，１０４ｂにより磁気カードＭに付着した指紋跡を読み取っているので、搬送ローラ１１２ａ〜１１２ｄと磁気カードＭとが接触する前に指紋跡の読み取りが行われ、搬送ローラ１１２ａ〜１１２ｄと磁気カードＭとが接触することによる指紋跡の消失が問題となることはない。
【００４０】
続いて、光源制御部１１６により通常光源１０６ａ，１０６ｂが点灯され（ステップＳ１１１）、磁気カードＭに描かれた画像、いわゆるカードフェイスの読み取りが開始される。
【００４１】
すなわち、モータ駆動制御部１１８によりモータ１１４の逆転駆動が開始され、磁気カードＭの手前へ向かっての搬送（以下、「復路搬送」）が開始される（ステップＳ１１２）。
【００４２】
復路搬送が開始されると、表面用ラインセンサ１０４ａが出力した画像データが画像入力部１２０により取り込まれ（ステップＳ１１３）、裏面用ラインセンサ１０４ｂが出力した画像データが画像入力部１２０により取り込まれる（ステップＳ１１４）。
【００４３】
そして、磁気カードＭの先端（最も奥の部分）が検出位置に到達したか否かがカード有無検出センサ１０２により検出され（ステップＳ１１５）、到達していない場合（ステップＳ１１５で"NO"）、復路搬送を継続しつつステップＳ１１１〜Ｓ１１４が繰り返される。一方、到達している場合（ステップＳ１１５で"YES"）、モータ駆動制御部１１８によりモータ１１４が停止され、復路搬送が終了する（ステップＳ１１６）。
【００４４】
モータ１１４の停止後、表面用ラインセンサ１０４ａの走査により読み取られた、磁気カードＭの表面Ｍａに描かれた画像に係る画像データ（ラインデータが集合したエリアデータ）と、裏面用ラインセンサ１０４ｂの走査により読み取られた、磁気カードＭの裏面Ｍｂに描かれた画像に係る画像データ（ラインデータが集合したエリアデータ）とが、画像メモリに保存され（ステップＳ１１７）、光源制御部１１６により通常光源１０６ａ，１０６ｂが消灯される（ステップＳ１１８）。
【００４５】
しかる後に、カードリーダ１では、ステップＳ１０９で保存された、磁気カードＭの表面Ｍａの画像に係る画像データと磁気カードＭの裏面Ｍｂの画像に係る画像データとを結合する処理が行われるとともに、ステップＳ１１４で保存された、磁気カードＭの表面Ｍａの画像に係る画像データと磁気カードＭの裏面Ｍｂの画像に係る画像データとを結合する処理が行われる（ステップＳ１１９）。このような結合処理によれば、１つの画像データを参照するだけで、磁気カードＭの表面Ｍａ及び裏面Ｍｂに付着した指紋跡を確認することができるとともに、磁気カードＭの表面Ｍａ及び裏面Ｍｂに描かれた画像を確認することができる。
【００４６】
＜３  読み取り結果の利用＞
カードリーダ１は、磁気カードＭに描かれた画像や磁気カードＭの磁気ストライプＭＳに磁気的に記録された情報等の磁気カードＭに関する情報に加えて、磁気カードＭに付着している指紋跡も読み取ることができるので、磁気カードＭの不正使用を防止することができる。
【００４７】
また、カードリーダ１では、磁気カードＭの読み取り結果、すなわち、磁気カードＭに描かれた画像、磁気カードＭの磁気ストライプＭＳに磁気的に記録された情報及び磁気カードＭに付着した指紋跡に係るデータがＲＡＭ１２６や画像メモリ１２８に記憶されているので、当該読み取り結果を後で読み出して利用することができる。
【００４８】
このカードリーダ１は、ＭＦＰ（Multi Function Peripherals）やパーソナルコンピュータ等の外部装置に接続されたＵＳＢケーブルをＵＳＢコネクタ１２に接続すれば、ＵＳＢインターフェース１３０を介して読み取り結果を外部装置へ出力することができるので、外部装置で読み取り結果を利用すること、例えば、記録紙へ読み取り結果をプリントアウトすること、ディスプレイに読み取り結果を表示すること及び読み取り結果に基づく認証処理を行うこと等が可能である。また、カードリーダ１をＡＴＭ（Automated Teller Machine）に接続し、当該ＡＴＭにおいて読み取り結果を利用できるようにしてもよいし、ＵＳＢコネクタ１２に接続されたＵＳＢストレージに読み取り結果を直接保存したり、ＵＳＢコネクタ１２に接続されたＵＳＢストレージに記憶されている認証情報を読み出してカードリーダ１で利用するようにしてもよい。
【００４９】
なお、カードリーダ１において、磁気カードＭに描かれた画像を、あらかじめ登録された基準画像と比較し、当該画像が当該基準画像と一致しない場合は不正使用（偽造）と判定するようにしてもよい。また、磁気カードＭにバーコードや２次元コードが印刷されている場合、当該バーコードや２次元コードを解析して、解析結果を出力できるようにしてもよい。
【００５０】
＜４  その他＞
上述の実施形態では、ISO/IEC7811の規格に準拠した磁気カードＭを読み取るカードリーダ１について説明したが、このことは、ISO/IEC7811の規格に準拠していない磁気カードＭをカードリーダ１が読み取るようにすることを妨げるものではない。
【００５１】
また、カードリーダ１の読取対象は、情報が磁気的に記録された磁気カードＭである必要もなく、情報が電子的に記録されたＩＣカードであってもよい。この場合、カードリーダ１には、磁気リーダ１１０に代えて、ＩＣカードに電子的に記録された情報を読み取る手段が設けられる。
【００５２】
さらに、カードリーダ１の読取対象は、情報が電磁的に記録された識別カード以外、例えば、文字等がエンボス印字されたＩＤカードや文字、図形、記号及び写真等が印刷されたＩＤカード等であってもよい。この場合、カードリーダ１は、当該ＩＤカードに描かれた画像及び当該ＩＤカードに付着した指紋跡を読み取ることになる。
【００５３】
なお、カードリーダ１の読み取り対象となる識別カードの具体例としては、例えば、キャッシュカード、クレジットカード、プリペイドカード、ポストペイカード、会員証、社員証、学生証、入門許可証及び運転免許証等の、所定の情報を保持している小型かつ定型のカードをあげることができる。
【図面の簡単な説明】
【００５４】
【図１】本発明の望ましい実施形態に係るカードリーダ１の外観構成を模式的に示す斜視図である。
【図２】図１のII-IIの切断線におけるカードリーダ１の断面図である。
【図３】カードリーダ１の内部構成を示すブロック図である。
【図４】磁気カードＭの読み取り動作の流れを示すフローチャートである。
【図５】磁気カードＭの読み取り動作の流れを示すフローチャートである。
【符号の説明】
【００５５】
１  カードリーダ
１０４ａ，１０４ｂ  ラインセンサ
１０６ａ，１０６ｂ  通常光源
１０８ａ，１０８ｂ  紫外光源
１１０  磁気リーダ
Ｍ  磁気カード
ＭＳ  磁気ストライプ
【図１】
2007323489.tif 000003
【図２】
2007323489.tif 000004
【図３】
2007323489.tif 000005
【図４】
2007323489.tif 000006
【図５】
2007323489.tif 000007